(57)【特許請求の範囲】
【請求項１】
表面に縦横の線によって一定面積からなる多数の升目を表示した面積係数算出手段を用い、一方、ある１つの材料を基準材料に選び、該基準材料の単位面積単位厚み当りの単価から、前記升目の大きさ、該升目１個分に対する升目単価を予め定めてこの升目単価を前記面積係数算出手段に記憶させておき、また前記面積係数算出手段に、算出対象である板状部品に重なり合う升目の数、即ち面積係数を自動的に検出する検出手段と、該検出手段で検出した前記面積係数と前記記憶している升目単価とを乗算してその板状部品の基準単価を自動的に算出する算出手段と、前記算出された基準単価に数値を乗算して板状部品の単価を出す乗算手段とを備えたことを特徴とする板状部品の単価算出装置。
【請求項２】
基準単価に乗算される数値は、板状部品に用いられる材料の材質毎に予め定めた材質係数と、板状部品の一定の厚み範囲毎に予め定めた厚み係数とし、前記基準単価に対してその板状部品の材質係数と厚み係数とを乗算することで、その板状部品の現単価を算出するようにしたことを特徴とする請求項１に記載の板状部品の単価算出装置。
【請求項３】
基準単価に乗算される数値は、板状部品に施される加工穴の一定個数範囲毎に予め定めた穴加工係数とし、前記基準単価に対してその板状部品の材質係数と厚み係数と穴加工係数を乗算することで、その板状部品の現単価を算出するようにしたことを特徴とする請求項２に記載の板状部品の単価算出装置。
【請求項４】
板状部品はゴムパッキンであることを特徴とする請求項１〜３の何れかに記載の板状部品の単価算出装置。
【発明の詳細な説明】
【０００１】
【発明の属する技術分野】
本発明は板状部品の単価算出装置に関し、詳しくは種々の形状をした板状部品の単価を、その部品の正確な面積を算出することなく、ごく簡単に算出する装置に関する。
【０００２】
【従来の技術】
従来、ゴムパッキンの見積り単価等の単価算出は、ゴムパッキンの材質別の単位面積単位厚み単価に対して、そのゴムパッキンの面積を算出し、また厚みを算出し、単価＝そのゴムパッキンの材質別単位面積単位厚み単価×面積×厚み、として計算していた。
【０００３】
【発明が解決しようとする課題】
ところが上記のような正統なだけの計算方法では、形状が湾曲したような複雑なゴムパッキンにおいては、実際においてそのゴムパッキンの面積の算出が容易でなく、ゴムパッキンの単価の計算に時間を要するという問題があった。
このことは、例えば得意先等から新しい形状のゴムパッキンを提示されて単価の見積りを聞かれた際に、素早く対処、応答できないという問題があった。
また得意先においても、新しく開発したパッキンについて、メーカーに製造を依頼しようとする場合において、予め自社においてパッキンの単価がどの位であるかを知りたい場合が生じるが、その場合に単価の算出に時間がかかるという問題があった。
また得意先において、新しく開発しようとするパッキンについて、単価を考慮しながらそのパッキンの形やその他を開発する必要が生じるが、その様な場合には何度も単価を計算する必要が生じるが、その単価算出に時間がかかるという問題がある。
勿論、時間をかけて算出した単価が、そのまま取引契約での単価になるとは限らず、実際の単価は取引折衝の中で異なってくる場合が多い。
以上のような部品の単価算出における問題点は、ゴムパッキンに限らず、他のゴム部品、プラスチック部品、板金部品においても同様であった。
【０００４】
そこで本発明は上記従来の問題点を解消し、板状部品の単価を、部品提供者側においても、また部品提供を依頼する側においても、ごく簡単に算出するのに適した板状部品の単価算出装置の提供を課題とする。
【０００５】
【課題を解決するための手段】
上記課題を解決する本発明の板状部品の単価算出装置は、表面に縦横の線によって一定面積からなる多数の升目を表示した面積係数算出手段を用い、一方、ある１つの材料を基準材料に選び、該基準材料の単位面積単位厚み当りの単価から、前記升目の大きさ、該升目１個分に対する升目単価を予め定めてこの升目単価を前記面積係数算出手段に記憶させておき、また前記面積係数算出手段に、算出対象である板状部品に重なり合う升目の数、即ち面積係数を自動的に検出する検出手段と、該検出手段で検出した前記面積係数と前記記憶している升目単価とを乗算してその板状部品の基準単価を自動的に算出する算出手段と、前記算出された基準単価に数値を乗算して板状部品の単価を出す乗算手段とを備えたことを第１の特徴としている。
また本発明の板状部品の単価算出装置は、上記第１の特徴に加えて、基準単価に乗算される数値は、板状部品に用いられる材料の材質毎に予め定めた材質係数と、板状部品の一定の厚み範囲毎に予め定めた厚み係数とし、前記基準単価に対してその板状部品の材質係数と厚み係数とを乗算することで、その板状部品の現単価を算出するようにしたことを第２の特徴としている。
また本発明の板状部品の単価算出装置は、上記第２の特徴に加えて、基準単価に乗算される数値は、板状部品に施される加工穴の一定個数範囲毎に予め定めた穴加工係数とし、前記基準単価に対してその板状部品の材質係数と厚み係数と穴加工係数を乗算することで、その板状部品の現単価を算出するようにしたことを第３の特徴としている。
また本発明の板状部品の単価算出装置は、上記第１〜３の何れかの特徴に加えて、板状部品はゴムパッキンであることを第４の特徴としている。
【０００６】
【発明の実施の形態】
以下、図面を参照しながら本発明の装置を更に説明する。
図１は本発明の装置に用いられる面積係数算出手段の一例を示す面積係数算出シートの平面図、図２は板状部品をゴムパッキンとした時に、そのゴムパッキンの単価計算に用いられる各係数をまとめた係数表を示す図、図３の（Ａ）、（Ｂ）、（Ｃ）はそれぞれ現単価の計算例を説明する図である。
【０００７】
図１を参照して、面積係数算出手段である面積係数算出シート１０には、縦と横の線により一定の面積からなる多数の升目１１が設けられている。本例での升目１１は、５０ｍｍ×５０ｍｍの正方形としているが、他の寸法の正方形としてもよい。また長方形等、正方形以外の形とすることも可能である。面積係数算出シート１０は、例えば１０００ｍｍ×１０００ｍｍのシートとするが、他の適当な縦、横の寸法とすることができる。シート１０は机等の上に敷くようにすることができる。
【０００８】
前記面積係数算出シート１０の升目１個分に相当する価格を升目単価ＰＭとし、この升目単価ＰＭを、本例ではゴムパッキンについて２００円とする。この升目単価ＰＭは２００円に限定されるものではなく、適当な価格を設定するものである。勿論、ゴムといっても後述するように複数種類のゴム材料があり、その各ゴム材料毎に値段が異なるものである。よって前記升目単価ＰＭはある特定の値段ではなく、かなり普遍的な値段として設定されるものである。
【０００９】
図１に示す面積係数算出シート１０に対して、単価を算出したい板状部品Ｚを適当に重ね合わせることで、該板状部品Ｚと重なり合う升目１１の数を面積係数Ｎとして簡単に数えることができる。図１に示す場合は、５×９＝４５升が重なる。即ち、面積係数Ｎ＝４５である。
前記板状部品Ｚと面積係数算出シート１０との重なりは、升目１１の一部だけに重なっている場合でも１と数える。また全部が重なっている場合に１と数えるとし、或いは１／２以上重なっている場合を１と数えるとする等、別の数え方をしてもよい。
【００１０】
本発明では、前記升目１１との重なり数である面積係数Ｎ＝４５に上記升目単価ＰＭ＝２００円を乗じた値を基準単価ＰＳとする。
この基準単価ＰＳは、そのゴム製板状部品Ｚの大きさに対応する価格で、後で述べる材質係数Ｑ、厚み係数Ｔ、穴加工係数Ｈを乗じて最終的な板状部品の現単価Ｐを算出するための基になる単価である。
通常考えられる板状部品の現単価Ｐの計算方法は、先ずその特定の材料に対する単位面積単位厚み当りの単価ＰＵを明定し、この単位面積単位厚み当りの単価ＰＵを基に、これに面積を乗じて算出するのが一般的と言える。しかし単位面積単位厚み当りの単価ＰＵは、その板状部品を構成する材料（材質）に対して販売者側が設定した単位面積当りで且つ単位厚み当りの価格（原価的な価格）そのものであるから、板状部品を販売する側においては、そのような単位面積単位厚み当りの単価ＰＵは他人にはあまり明確に知られたくない面がある。
この点、本発明で用いる前記升目単価ＰＭや基準単価ＰＳは、板状部品の材質等による前記原価的な価格ではないので、用いる材料に対して設定した価格が得意先や競業者に一目瞭然的に全て分かってしまうといったことがないというメリットがある。
【００１１】
図２に示す係数表２０は、板状部品Ｚの現単価Ｐを算出するのに用いる材質係数Ｑのテーブルと、厚み係数Ｔのテーブルと、穴加工係数Ｈのテーブルとをまとめて一覧表としたものである。
前記材質係数Ｑは、前記基準単価ＰＳに乗じられることで、板状部品Ｚに用いられる材料の材質による価格調整を行うための係数である。図２においては、材質ＮＲの材質係数Ｑを１として基準にしていることがわかる。またシリコンの材質係数Ｑは１２としており、ＮＲの材質係数Ｑの１２倍の値段としていることが理解できる。
前記厚み係数Ｔは、基準単価ＰＳに乗じられることで、板状部品Ｚの厚みによる価格調整を行うための係数である。厚みが３．０ｍｍの時の厚み係数Ｔを１として基準にしていることがわかる。またこの表では、例えば３．０ｍｍ以上４ｍｍ未満の厚みでは係数Ｔが１で、４．０ｍｍ以上５．０ｍｍ未満では係数Ｔが１．３である。
前記穴加工係数Ｈは、基準単価ＰＳに乗じられることで、板状部品Ｚに穴加工を施した場合に、穴加工に必要なコストを価格調整するための係数である。加工数が０の場合の穴加工係数Ｈを１として、基準にしている。また穴加工を１１〜１５とした場合は、係数Ｈは１．６としている。
【００１２】
図３を参照して、板状部品Ｚの現単価Ｐの算出例を説明する。
先ず（Ａ）の場合は、板状部品Ｚとして、材質がＮＲ、厚みが３ｍｍの丸パッキンの例である。
升目単価ＰＭは２００円、面積係数Ｎは丸パッキンと重なる面積係数算出シート１０の升目１１の数で１６である。よって基準単価ＰＳは、升目単価ＰＭ×面積係数Ｎ＝２００×１６＝３２００円である。
加えて材質係数Ｑは、材質がＮＲであるので、係数表２０（図２を参照）から１である。
また厚み係数Ｔは、厚みが３ｍｍであるので、係数表２０から１である。
また穴加工係数Ｈは、穴が５個であるので、係数表２０から１．２である。
従ってこの丸パッキンの現単価Ｐは、Ｐ＝基準単価ＰＳ（升目単価ＰＭ×面積係数Ｎ）×材質係数Ｑ×厚み係数Ｔ×穴加工係数Ｈ＝３２００（２００×１６）×１×１×１．２＝３８４０円と算出できる。
【００１３】
次に（Ｂ）の場合は、板状部品Ｚとして、材質がＮＲ、厚みが０．５ｍｍの角パッキンの例である。
升目単価ＰＭは２００円、面積係数Ｎは２升に入るので２である。よって基準単価ＰＳは、升目単価ＰＭ×面積係数Ｎ＝２００×２＝４００円である。
加えて材質係数Ｑは、材質がＮＲであるので、係数表２０から１である。
また厚み係数Ｔは、厚みが０．５ｍｍであるので、係数表２０から０．８８である。
また穴加工係数Ｈは、穴が１３個であるので、係数表２０から１．６である。
従ってこの角パッキンの現単価Ｐは、Ｐ＝基準単価ＰＳ（升目単価ＰＭ×面積係数Ｎ）×材質係数Ｑ×厚み係数Ｔ×穴加工係数Ｈ＝４００（２００×２）×１×０．８８×１．６＝５６３．２円と算出できる。
【００１４】
次に（Ｃ）の場合は、板状部品Ｚとして、材質がＣＲ、厚みが３ｍｍの変形パッキンの例である。
升目単価ＰＭは２００円、面積係数Ｎは１升に入るので１である。よって基準単価ＰＳは、升目単価ＰＭ×面積係数Ｎ＝２００×１＝２００円である。
加えて材質係数Ｑは、材質がＣＲであるので、係数表２０から２．２である。
また厚み係数Ｔは、厚みが３ｍｍであるので、係数表２０から１である。
また穴加工係数Ｈは、穴が１個であるので、係数表２０から１．２である。
従ってこの変形パッキンの現単価Ｐは、Ｐ＝基準単価ＰＳ（升目単価ＰＭ×面積係数Ｎ）×材質係数Ｑ×厚み係数Ｔ×穴加工係数Ｈ＝２００（２００×１）×２．２×１×１．２＝５２８円と算出できる。
【００１５】
以上の算出例ではゴムパッキンについて説明したが、ゴムパッキン以外のゴム製の板状部材Ｚについても、ほぼ同様な升目単価ＰＭ、材質係数Ｑ、厚み係数Ｔ、穴加工係数Ｈを用いて、基準単価ＰＳ、現単価Ｐを算出することができる。
更に板状部品Ｚは、ゴム製以外のプラスチック、金属（板金加工）についての板状部品であってもよい。
例えばプラスチック製の板状部品Ｚについて単価を算出する場合、先ずある１つのプラスチック材料を選び出して、その選び出した基準プラスチック材料の単位面積単位厚み当りの単価ＰＵから、升目１１の大きさ、その升目１１での升目単価ＰＭと厚み係数Ｔ＝１とする基準厚み（ｍｍ）を決定する。勿論、この選出した基準プラスチック材料の材質係数Ｑを１とする。他のプラスチック材料の材質係数Ｑは、前記基準プラスチック材料の材質係数Ｑを１として、価格の比によって定まる。厚み係数Ｔは基準プラスチック材料の前記基準厚みを１として、一定の厚み範囲毎に定めてゆくことができる。また穴加工係数Ｈについても一定の穴数範囲毎に定めてゆくことができる。
【００１６】
以上で説明した板状部品Ｚの単価算出については、面積係数算出シート１０と係数表２０とを保有することで、顧客から板状部品の見積りを依頼された販売者側において、即座に対応して算出することができる。また予め面積係数算出シート１０と係数表２０とをもらって保有している顧客においては、自己が開発した板状部品や開発中の板状部品の購入を依頼したとすれば、どのくらいの単価になるかを、自らが容易に算出して知ることができる。
よって板状部品Ｚの依頼を受けて加工販売する側にとっても、これから依頼しようとする顧客にとっても、それらの面積係数算出シート１０と係数表２０とをもって、ごく簡単に、短時間で板状部品の単価を算出することができるメリットが非常に大きい。
【００１７】
前記面積係数算出手段は、上記の実施形態では面積係数算出シート１０であったが、巻回したり、折り畳んだりできるシートでなくとも、剛性の面積係数算出盤であってもよい。
【００１８】
また面積係数算出手段は、その表面上に板状部品Ｚを重ねることで、板状部品Ｚに重なる升目１１の数、即ち面積係数Ｎを、自動的に検出する検出手段を備えたものとしてもよい。例えば升目１１が描かれた表面を透明体で構成し、その透明体の内方から板状部品Ｚが重ね合わされた表面方向へ光を当てて、板状部品Ｚに重なる升目１１を検出し、その数を検出するようにした検出手段を設けることで、重なり合う升目１１の数（面積係数Ｎ）の自動検出ができる。勿論、タッチセンサーを用いる等、別の方法を採用した検出手段であってもよい。
また面積係数算出手段は、前記板状部品Ｚに重なる升目１１の数を自動的に検出する検出手段を備えるのに加えて、予め升目単価ＰＭを記憶させておくことで、その升目単価ＰＭと前記自動算出した面積係数Ｎとを乗算して、板状部品Ｚの基準単価ＰＳを自動算出する算出手段を有するものとしてもよい。
更に面積係数算出手段は、前記自動算出される基準単価ＰＳに材質係数Ｑ、厚み係数Ｔ、穴加工係数Ｈ等を乗算して、板状部品Ｚの現単価Ｐを算出するために乗算手段を有するものとしてもよい。
【００１９】
前記面積係数算出手段はコンピュータの画面上に升目１１を描いた（升目１１を表示した）ものとし、面積係数Ｎを自動的に検出する検出手段は、画面上に板状部品Ｚを重ねた時に、その重なった升目１１の数を自動的に検出することができるソフトウエアであってもよい。
また前記板状部品Ｚの基準単価ＰＳを自動算出する算出手段も、コンピュータにインストールされたソフトウエアであってもよい。
更に前記基準単価ＰＳに材質係数Ｑ、厚み係数Ｔ、穴加工係数Ｈ等を乗算する板状部品Ｚの現単価Ｐを算出するための乗算手段も、板状部品Ｚの現単価を算出するためのソウトウエアの一部として構成されていてもよい。
即ち面積係数算出手段が、コンピュータと、面積係数Ｎを自動的に検出する検出手段、基準単価ＰＳを自動算出する算出手段、乗算手段を含む１つの現単価算出ソフトウエアとで構成されている場合も、本発明の範囲に入るものとする。
【００２０】
【発明の効果】
本発明は以上の構成、作用よりなり、請求項１に記載の板状部品の単価算出装置によれば、表面に縦横の線によって一定面積からなる多数の升目を表示した面積係数算出手段を用い、一方、ある１つの材料を基準材料に選び、該基準材料の単位面積単位厚み当りの単価から、前記升目の大きさ、該升目１個分に対する升目単価を予め定めてこの升目単価を前記面積係数算出手段に記憶させておき、また前記面積係数算出手段に、算出対象である板状部品に重なり合う升目の数、即ち面積係数を自動的に検出する検出手段と、該検出手段で検出した前記面積係数と前記記憶している升目単価とを乗算してその板状部品の基準単価を自動的に算出する算出手段と、前記算出された基準単価に数値を乗算して板状部品の単価を出す乗算手段とを備えたので、
板状部品の価格（現単価）を算出するのに用いる基準単価を、種々の形をした実際の板状部品の面積を正確に算出するような面倒な作業をすることなく、ごく簡単に算出することができ、これによって特に支障なく、板状部品の価格（現単価）を簡単、迅速に算出ないし概算することが可能となる。
よって部品提供者側においては、顧客からの価格の問い合わせに対して、その場での見積り或いは素早い見積りの提供等による迅速な対応を行うことが可能となる。また部品提供を依頼する側においては、依頼前においても自らが予め板状部品の単価を簡単、容易に算出でき、コスト知識を得ておくことが出来るので非常に便利である。
更に板状部品を開発する場合に、その単価を算出しながら開発を進めることが可能となる。
また請求項２に記載の板状部品の単価算出装置によれば、上記請求項１に記載の構成による効果に加えて、基準単価に乗算される数値は、板状部品に用いられる材料の材質毎に予め定めた材質係数と、板状部品の一定の厚み範囲毎に予め定めた厚み係数とし、前記基準単価に対してその板状部品の材質係数と厚み係数とを乗算することで、その板状部品の現単価を算出するようにしたので、
板状部品の穴加工等の加工無しの状態における単価（現単価）を、基準単価に対して材質係数と厚み係数とを乗ずることで、簡単に算出することができる。
また請求項３に記載の板状部品の単価算出装置によれば、上記請求項２に記載の構成による効果に加えて、基準単価に乗算される数値は、板状部品に施される加工穴の一定個数範囲毎に予め定めた穴加工係数とし、前記基準単価に対してその板状部品の材質係数と厚み係数と穴加工係数を乗算することで、その板状部品の現単価を算出するようにしたので、
板状部品の穴加工によるコストを含めた単価（現単価）を、簡単に算出することができる。
また請求項４に記載の板状部品の単価算出装置によれば、上記請求項１〜３の何れかに記載の構成による効果に加えて、板状部品はゴムパッキンであるので、
種々の形状を有するゴムパッキンに対して、その単価計算を簡単、容易に且つ素早く行うことができる。
【図面の簡単な説明】
【図１】  本発明の装置に用いられる面積係数算出手段の一例を示す面積係数算出シートの平面図である。
【図２】  板状部品をゴムパッキンとした時に、そのゴムパッキンの単価計算に用いられる各係数をまとめた係数表を示す図である。
【図３】  （Ａ）、（Ｂ）、（Ｃ）はそれぞれ現単価の計算例を説明する図である。
【符号の説明】
１０  面積係数算出シート
１１  升目
２０  係数表
Ｚ    板状部品
Ｐ    現単価
ＰＭ  升目単価
ＰＳ  基準単価
Ｎ    面積係数
Ｑ    材質係数
Ｔ    厚み係数
Ｈ    穴加工係数
【図１】
0003768184.tif 000002
【図２】
0003768184.tif 000003
【図３】
0003768184.tif 000004